(57)【要約】【課題】発光型表示装置の積雪等による視認性悪化を確実に防止する【解決手段】本発明の発光型表示装置に取り付けるルーバー１０は、発光素子へ入射する外来光を遮光する遮光板１０ａを備えており、この遮光板１０ａの内部にはヒーター１１が埋め込まれている。このため、遮光板１０ａ自体の発熱により、発光型表示装置の表示面側に熱が確実、かつ効率よく伝わる。したがって、例えば、降雪地域等の屋外に設置されても、積雪による表示障害を確実に防止することができる。【選択図】図１
2007187752.tif 000002
【特許請求の範囲】
【請求項１】
発光素子を備えた発光型表示装置において、発光素子へ入射する外来光を遮光する遮光板を備えており、該遮光板の内部にヒーターが埋め込まれていることを特徴とする発光型表示装置。
【請求項２】
前記遮光板は、該遮光板の内部にさらに熱伝導部材が埋め込まれていることを特徴とする請求項１記載の発光型表示装置。
【請求項３】
上記熱伝導部材は金属で形成されており、当該熱伝導部材を電気的に接地するための接地端子を有していることを特徴とする請求項２記載の発光型表示装置。
【請求項４】
前記熱伝導部材は、網状構造であることを特徴とする請求項２記載の発光型表示装置。
【請求項５】
前記遮光板に金属箔を貼り付けたことを特徴とする請求項１記載の発光型表示装置。
【請求項６】
前記遮光板は、樹脂にＡｌ２Ｏ３を混入させた材料から成ることを特徴とする請求項１記載の発光型表示装置。
【請求項７】
発光型表示装置に備えられた発光素子へ入射する外来光を遮光する遮光板において、内部にヒーターが埋め込まれていることを特徴とする遮光板。
【発明の詳細な説明】
【技術分野】
【０００１】
本発明は、文字や映像等の情報を表示するのに用いられる発光型表示装置に関するものであり、より詳細には、ヒーターを内蔵することにより、例えば、屋外使用時の積雪による表示障害を防止するようにした発光型表示装置に関するものである。
【背景技術】
【０００２】
ＬＥＤ表示装置は、発光素子を用いて文字情報等を表示する発光型表示装置の代表例である。ＬＥＤ表示装置に備えられた発光ダイオード（ＬＥＤ）は、高輝度に発光可能な発光素子であるため、ＬＥＤ表示装置は、外来光の強い屋外における用途にも適している。
このＬＥＤ表示装置を降雪地域等の屋外に設置する場合には、装置表示面側への積雪による表示の視認性悪化が問題となる。表示面側に付着した雪は、装置自身の発熱によっても融雪するが、迅速な融雪が要求されている。
【０００３】
このため、降雪地域等の屋外に設置されるＬＥＤ表示装置には、融雪用ヒーターが備えられている。この融雪用ヒーターを備えたＬＥＤ表示装置として、図５および図６に示す装置が、下記の特許文献１（特開平１１−３３８３８７号公報）に開示されている。
【０００４】
図５（ａ）〜（ｃ）に示すＬＥＤ表示装置５０において、複数個のＬＥＤランプ５２と基板５３とがケース５１に収納されている。ＬＥＤランプ５２は、基板５３に対しマトリクス状に配置されている。また、複数個のＬＥＤランプ５２に対し、ルーバー５５が設けられ、太陽光がＬＥＤランプ５２へ入射することによる視認性の悪化を防ぐようになっている。ルーバー５５は、マトリクス状に配列されたＬＥＤランプ５２の水平方向の各段毎に、庇状の遮光板５５ａを有している。この遮光板５５ａは、ＬＥＤ表示装置５０の表示面側に設けられている。
【０００５】
なお、図示しないが、基板５３には駆動回路も実装されている。この駆動回路部に雨水が浸入しないように、ケース５１とＬＥＤランプ５２との間の空間には樹脂等が充填されている。
【０００６】
さらに、ＬＥＤ表示装置５０は、表示面またはルーバー５５に付着した雪を融かすためのヒーター５４を備えている。ヒーター５４は、ケース５１とＬＥＤランプ５２との間の空間に、防水のために充填される樹脂をもちいて固定されている。また、ヒーター５４は、ルーバー５５の背板部に貼り付けて固定されていてもよく、その背板部の裏面に設けられた溝部に収納されていてもよい。
【０００７】
また、図６（ａ）（ｂ）に示すＬＥＤ表示装置６０は、ＬＥＤ表示装置５０と同様に、ケース５１、ＬＥＤランプ５２、基板５３、ヒーター５４、およびルーバー５５に相当するケース６１、ＬＥＤランプ６２、基板６３、ヒーター６４、およびルーバー６５を備えている。また、ルーバー６５は、遮光板５５ａに相当する遮光板６５ａを有している。
【０００８】
一方、ＬＥＤ表示装置６０は熱伝導部材６６を備えている。熱伝導部材６６はマトリクス状に配置された複数個のＬＥＤランプ６２同士の間隙に配置されるように、そのＬＥＤランプ６２が貫通するような挿通孔がマトリクス状に複数形成されている。ヒーター６４は、熱伝導部材６６に設けられた溝に収納されている。熱伝導部材６６とルーバー６５の背板部とが互いに接するように配置されているため、ヒーター６４が発する熱は熱伝導部材６６を介してルーバー６５へ伝導される。
【０００９】
上記のように、ＬＥＤ表示装置内に設置したヒーターが発する熱を、装置内の部材を介して装置の表示面側に伝導させ、表示面側に付着した雪を融かすように構成されている。
【特許文献１】特開平１１−３３８３８７号公報（１９９９年１２月１０日公開）
【発明の開示】
【発明が解決しようとする課題】
【００１０】
しかしながら、図５（ａ）〜（ｃ）に示すＬＥＤ表示装置５０において、ヒーター５４は、ケース５１とＬＥＤランプ５２との間の空間に充填される樹脂を用いて固定されており、直接装置に接していない。このため、表示面側へヒーター５４が発する熱を十分に伝導させることができない。
【００１１】
また、ヒーター５４が、ルーバー５５の背板部に貼り付けて固定されている、または、その背板部の裏面に設けられた溝部に収納されている場合においては、ルーバー５５の背板部から表示面側にある庇状の遮光板５５ａまで、ヒーター５４が発する熱を伝導させて融雪する。このため、熱伝導率の低い材料からなるルーバー５５を用いた場合には、表示面側にヒーター５４が発する熱が伝わりにくい。
【００１２】
さらに、図６（ａ）（ｂ）に示すＬＥＤ表示装置６０において、ヒーター６４は、熱伝導部材６６に設けられた溝部に収納されており、この熱伝導部材６６が接するルーバー６５の背板部から表示面側にある庇状の遮光板６５ａまで、ヒーター６４が発する熱を伝導させて融雪する。このため、上記と同様に、熱伝導率の低い材料からなるルーバー６５を用いた場合には、表示面側にヒーター６４が発する熱が伝わりにくい。
【００１３】
このように、熱伝導率の低い材料からなるルーバーを用いた発光型表示装置では、表示面側に雪が付着したような場合、ＬＥＤランプ点灯状態におけるＬＥＤランプや回路部等の装置自体の自己発熱によって、表示面に付着した少量の雪が融けるのを待たなければならず、しかも、その少量の雪が融けるまでに、ＬＥＤランプの点灯後長時間の経過を要するというのが現状である。
【００１４】
本発明は、上記の問題点に鑑みてなされたものであり、その目的は、発光型表示装置にヒーターを内蔵する場合に、その内蔵の仕方を工夫することにより、例えば、降雪地域等の屋外に設置されても、積雪による表示障害を確実に防止することが可能な発光型表示装置を提供することにある。
【課題を解決するための手段】
【００１５】
上記課題を解決するために、本発明に係る発光型表示装置は、発光素子を備えた発光型表示装置において、発光素子へ入射する外来光を遮光する遮光板を備えており、該遮光板の内部にヒーターが埋め込まれていることを特徴としている。
【００１６】
上記の構成によれば、発光素子へ入射する外来光を遮光する遮光板の内部にヒーターを埋め込んだことにより、遮光板自体が発熱する。この結果、ヒーターの熱を効果的に表示面側に伝導させ、融雪効果を高めることが可能となる。すなわち、本発明の発光型表示装置によれば、例えば、屋外使用時の表示面側に付着した雪を融かすのに発光素子自身または回路部等の発熱に頼ることなく、ヒーターを用いて積極的、かつ効率的に融雪することが可能となる。
【００１７】
さらに、遮光板の内部にヒーターを埋め込んだことにより、遮光板に熱伝導率の低い材料を用いたとしても、同様の融雪効果を得ることができる。
【００１８】
熱伝導率の低い材料として樹脂を選択すると、遮光板の成形が容易であり、遮光板を軽量化することができる。また、後述するように、遮光板の内部に熱伝導部材を埋め込むように、遮光板と熱伝導部材とを一体成形することが容易になる。
【００１９】
なお、本発明に係る発光型表示装置では、発光素子の配列数は１つ以上であればよく、特に限定されない。発光素子の１次元方向の配列数が増えれば、外来光を遮光するのに必要な遮光板のサイズが大きくなる。また、発光素子を２次元的に配列した発光型表示装置では、１次元方向の配列毎に、遮光板を設けてもよい。
【００２０】
また、本発明に係る発光型表示装置において、上記遮光板は、その内部に熱伝導部材が埋め込まれていることを特徴としている。
【００２１】
これにより、ヒーターと熱伝導部材との組み合わせ方を多様に選択することができるので、遮光板を効率よく発熱させるヒーターの設け方を多様に設計することができる。
【００２２】
また、本発明に係る発光型表示装置において、上記熱伝導部材は金属で形成されており、当該熱伝導部材を電気的に接地するための接地端子を有していることを特徴としている。
【００２３】
これにより、落雷時の異常な高電圧から装置を保護することができる。また、不要な電磁波の放射を防ぐため、および遮光板の帯電を防ぐためにも用いることができる。
【００２４】
また、本発明に係る発光型表示装置において、上記熱伝導部材は、網状構造であることを特徴としている。
【００２５】
すなわち、熱伝導部材は連続した平面状である必要は無い。熱伝導部材が網状構造であっても、遮光板自体を発熱させ、ヒーターの熱を効果的に表示面側に伝導させることができる。
【００２６】
また、本発明に係る発光型表示装置において、上記遮光板に金属箔を貼り付けたことを特徴としている。
【００２７】
この場合、金属箔は、遮光板における熱伝導を促進する熱伝導部材として機能する。すなわち、熱伝導部材を遮光板に貼り付ける構成は、遮光板に熱伝導部材を埋め込む構成に比べて、熱伝導部材を遮光板により簡易に設けることができる。
【００２８】
また、本発明に係る発光型表示装置において、上記遮光板は、樹脂にＡｌ２Ｏ３を混入させた材料から成ることを特徴としている。
【００２９】
この場合、遮光板の母材である樹脂自体の熱伝導性の低さを、Ａｌ２Ｏ３によって高めることができる。なお、樹脂に混入させるＡｌ２Ｏ３は粉末であることが、樹脂内の分散を良くし、遮光板の熱伝導性を一様に高めることができる点で好ましい。
【００３０】
本発明に係る遮光板は、発光型表示装置に備えられた発光素子へ入射する外来光を遮光する遮光板において、内部にヒーターが埋め込まれていることを特徴としている。
【００３１】
これにより、既に説明したとおり、遮光板自体が発熱する結果、ヒーターの熱を効果的に発光型表示装置の表示面側に伝導させ、融雪効果を高めることが可能な遮光板を提供することができる。かつ、遮光板を熱伝導率の低い材料で形成することを可能にする。
【００３２】
なお、本発明の遮光板を発光型表示装置から着脱可能としてもよい。これによれば、遮光板および発光型表示装置それぞれのメンテナンスが容易となる。さらに、遮光板を発光型表示装置から着脱可能とすることにより、例えば、該遮光板を取り付けた発光型表示装置は降雪地域使用に適した構成となり、また該遮光板を取り付けない発光型表示装置は通常地域使用に適した構成となる。これにより、設置場所に応じた発光型表示装置を容易に製造することが可能となる。
【発明の効果】
【００３３】
本発明の発光型表示装置は、発光素子へ入射する外来光を遮光する遮光板を備えており、該遮光板の内部にヒーターが埋め込まれていることを特徴としている。
【００３４】
それゆえ、ヒーターの熱を効果的に遮光板、および表示面側に伝導させ、融雪効果を高めることが可能となるという効果を奏する。
【００３５】
また、本発明の遮光板は、発光型表示装置に備えられた発光素子へ入射する外来光を遮光する遮光板の内部にヒーターが埋め込まれていることを特徴としている。
【００３６】
それゆえ、発光型表示装置の表示面側に、ヒーターの熱を効果的に伝導させ、融雪効果を高めた遮光板を提供することができる。
【発明を実施するための最良の形態】
【００３７】
本発明の好適な実施形態について、図面を参照して説明する。
【００３８】
《第一の実施形態》
図１は、本発明の第一の実施形態であり、発光型表示装置に取り付ける遮光板の一部を切り欠いた斜視図である。まず、発光型表示装置としてのＬＥＤ表示装置４０は、図４（ａ）（ｂ）に示すように、発光素子としてのＬＥＤランプ４２が、複数配列されている。但し、本発明にとって、発光素子の数は本質的事項ではなく、１つ以上であればよい。
【００３９】
図１に示すルーバー１０は、上記のような発光素子へ入射する外来光を遮光する遮光板１０ａを有している。遮光板１０ａは、ルーバー１０の背面側に配置された背板部１０ｂから、発光型表示装置の正面方向へ、庇状に延び出している。また、上記背板部１０ｂには、発光素子を貫通させる挿通孔１２が形成されている。但し、図４（ａ）（ｂ）に示すように、発光型表示装置の基板上にマトリクス状に配列される複数の発光素子を貫通させるために、発光素子の配列に合わせて複数の挿通孔１２が形成されている。
【００４０】
なお、遮光板１０ａが庇状に形成されているのは、太陽光等の外来光が発光素子に入射することによる表示の視認性悪化を防止するためである。したがって、遮光板１０ａは、外来光が発光素子に直接当たらないように配置することが好ましい。また、発光素子が、図４（ａ）に示したように、マトリクス状に配列されている場合には、発光素子の水平方向の各段毎に遮光板１０ａを設けることが好ましい。
【００４１】
ところで、本発明の特徴の一つとして、遮光板１０ａの内部には、ヒーター１１が埋め込まれている。このため、遮光板１０ａの内部に埋め込まれたヒーター１１が発する熱により、ルーバー１０または表示面側に雪が付着しても、その雪を確実に融かすことができる。すなわち、本実施形態のルーバー１０によれば、発光型表示装置内に伝導部材を設け、その伝導部材を介して遮光板１０ａに熱を伝導させる必要がなく、遮光板１０ａに埋め込まれたヒーター１１が発する熱により直接、ルーバー１０および表示面側に付着した雪を確実に融かすことができる。
【００４２】
このように、本実施形態のルーバー１０は、ヒーター１１の発する熱を表示面側および遮光板１０ａへ伝導させる必要性がないので、熱伝導率の低い樹脂等をルーバー１０の素材に用いることができる。すなわち、熱伝導率の低い形成材料から成るルーバー１０を用いた構成でも、十分に融雪効果が得られる。また、遮光板１０ａおよびルーバー１０の素材に樹脂を用いた場合、樹脂以外の金属などの材料に比べて、ルーバー１０の成形が容易になる。さらに、上記素材に樹脂を用いるなら、遮光板１０ａの内部にヒーター１１を埋め込むように、遮光板１０ａとヒーター１１とを一体成形することが容易になる。
【００４３】
次に、ヒーター１１の遮光板１０ａに対する設け方について、より具体的に説明する。ヒーター１１は、例えば線状ヒーターであって、遮光板１０ａの先端部および両端部に直線状に埋め込まれ、Ｕ字状をなしている。当該先端部とは、発光型表示装置の背面から正面に向かって、遮光板１０ａの先端側に位置するエッジに沿った部位の付近をさす。また、当該両端部とは、発光型表示装置の背面から正面に向かって、遮光板１０ａの左右両端側に位置するエッジに沿った部位の付近をさす。
【００４４】
なお、隣り合う遮光板１０ａの各両端部の一方に埋め込まれたヒーター１１同士は、上記背板部１０ｂ付近において、互いに接続されている。同様に、隣り合う遮光板１０ａの各両端部の他方に埋め込まれたヒーター１１同士も、上記背板部１０ｂ付近において、互いに接続されている。
【００４５】
このように、ヒーター１１の配線長を最小限に抑えることにより、ヒーター１１の消費電力量を削減することが可能となる。また、ヒーター１１が遮光板１０ａの先端部に埋め込まれていることにより、遮光板１０ａの先端部から発熱するため、隣接した遮光板１０ａ同士の間に形成される間隙の前面に溜まり易い雪に熱を迅速に伝導させ、効率よく融雪することが可能となる。
【００４６】
また、ヒーター１１は、遮光板１０ａの平面形状と相似形の面状ヒーターであってもよい。すなわち、ヒーター１１は、その発する熱が遮光板の先端部に十分に伝導するように設けられていればよい。
【００４７】
《第二の実施形態》
図２は、本発明の第二の実施形態であり、発光型表示装置に取り付ける遮光板の一部を切り欠いた斜視図である。図２に示すルーバー２０は、ルーバー１０と同様に、ヒーター１１、および挿通孔１２に相当するヒーター２１、および挿通孔２２を備えている。またルーバー２０は、ルーバー１０と同様に、庇状の遮光板２０ａおよび背板部２０ｂを有している。
【００４８】
一方、ルーバー２０は、遮光板２０ａの内部に、ヒーター２１とともに熱伝導部材２３が埋め込まれている。遮光板２０ａの内部に埋め込まれている熱伝導部材２３とヒーター２１とは互いに接するように配置されている。
【００４９】
なお、図２において、ヒーター２１および熱伝導部材２３が遮光板２０に埋め込まれている様子を示すために、ヒーター２１と熱伝導部材２３との間に空間を設けている。これは便宜上図示したに過ぎず、本実施形態においてヒーター２１と熱伝導部材２３とは互いに接するように配置されている。
【００５０】
すなわち、本実施形態のルーバー２０によれば、ヒーター２１の発する熱が熱伝導部材２３を介して、遮光板２０ａの先端部に伝導されるため、ルーバー２０および表示面側に雪が付着しても、その雪を確実に融かすことができる。
【００５１】
このように本実施形態のルーバー２０は、ヒーター２１の発する熱を、熱伝導部材２３を介して表示面および遮光板２０ａへ伝導させるため、上記第一の実施形態と同様に、熱伝導率の低い形成材料から成るルーバー２０を用いた構成でも、十分に融雪効果が得られる。さらに、上記形成材料として樹脂を用いるなら、遮光板２０ａの内部にヒーター２１と熱伝導部材２３とを埋め込むように、遮光板２０ａとヒーター２１および熱伝導部材２３とを一体成形することが容易になる。
【００５２】
次に、熱伝導部材２３およびヒーター２１の遮光板２０ａに対する設け方について、より具体的に説明する。ヒーター２１は、例えば線状ヒーターであって、背板部２０ｂ付近において、遮光板２０ａの内部に埋め込まれている。このヒーター２１は、遮光板２０ａの両端部の一方から他方へと直線状に埋め込まれている。なお、隣り合う遮光板２０ａに埋め込まれたヒーター２１同士は、その両端部の一方において互いに接続されており、同様に、他方においても互いに接続されている。
【００５３】
熱伝導部材２３は、例えば、遮光板２０ａの平面形状と相似形の面状であり、遮光板２０ａの先端部から背板部２０ｂ付近に埋め込まれたヒーター２１に接するような幅に形成されている。
【００５４】
これにより、背板部２０ｂ付近に埋め込まれたヒーター２１の熱を高効率に表示面側に伝導させることが可能となる。さらに、熱伝導部材２３を介することにより、ヒーター２１の配線長が抑えられるため、ヒーター２１の消費電力量を削減することが可能となる。
【００５５】
また、この熱伝導部材２３は金属製の網状構造であってもよい。すなわち、熱伝導部材２３は、遮光板２０ａの内部に埋め込まれているヒーター２１と互いに接するように配置され、なおかつヒーター２１の発する熱を遮光板２０ａの先端部まで伝導させ得るように、構成されていればよい。
【００５６】
また、本実施形態において、遮光板２０ａは、熱伝導部材２３を内部に埋め込む代わりに、金属箔が貼り付けられた構成であってもよい。これにより、遮光板２０ａの熱伝導率が高められ、ヒーター２１の発する熱を遮光板２０ａの先端部へと伝導させることが可能となる。さらに、この構成によると、熱伝導板を遮光板の内部に埋め込んだ構成と比較して、ルーバー２０の製造が容易になる。
【００５７】
さらに、本実施形態において、遮光板２０ａは、樹脂にＡｌ２Ｏ３、好ましくはＡｌ２Ｏ３の粉末を混入させた材料からなる遮光板であってもよい。Ａｌ２Ｏ３を混入させた材料からなる遮光板２０ａは、遮光板２０ａの素材自体の熱伝導率が低くても、Ａｌ２Ｏ３により熱伝導率が高められているため、熱伝導部材２３を用いずとも、ヒーター２１の発する熱を遮光板２０ａの先端部まで伝導させることが可能となる。
【００５８】
《第三の実施形態》
図３は、本発明の第三の実施形態であり、発光型表示装置に取り付ける遮光板の一部を切り欠いた斜視図である。図３に示すルーバー３０は、ルーバー２０と同様に、庇状の遮光板２０ａ、背板部２０ｂ、ヒーター２１、および挿通孔２２に相当する庇状の遮光板３０ａ、背板部３０ｂ、ヒーター３１、および挿通孔３２を備えている。
【００５９】
なお、遮光板３０ａに埋め込まれたヒーター３１の長さは、ヒーター２１に比べて短くなっているが、消費電力、発熱量、配線レイアウト、コストなどを考慮して適宜選択し得る設計上の変更である。
【００６０】
また、遮光板３０ａには、遮光板２０ａの熱伝導部材２３とは構成の若干異なった熱伝導部材３３が埋め込まれている。具体的には、本実施形態では、各遮光板３０ａに内蔵された熱伝導部材３３が、互いに電気的に接続されている点で、遮光板２０ａと相違している。
【００６１】
なお、遮光板３０ａに内蔵した熱伝導部材３３を金属で形成した場合、熱伝導部材３３を電気的に接地するための金属端子３４（接地端子）を、熱伝導部材３３に設けることが好ましい。本実施形態のように、各熱伝導部材３３を互いに電気的に接続した構成では、金属端子３４は、任意の熱伝導部材３３に１箇所設けるだけでよい。
【００６２】
これにより、落雷時の異常な高電圧から装置を保護することができる。また、不要な電磁波の放射を防ぐため、および遮光板の帯電を防ぐためにも用いることができる。
【００６３】
このように、遮光板内に、ヒーターのみならず、熱伝導部材をも一体的に埋め込むことにより、ヒーターおよび熱伝導部材の設け方を、多様に設計することが可能となる。
【実施例】
【００６４】
図４（ａ）（ｂ）は、本発明の一実施例であるヒーターを内蔵した遮光板を取り付けたＬＥＤ表示装置を示している。図４（ａ）は、外観斜視図であり、図４（ｂ）はＬＥＤ表示装置の一部を切り欠いた側面図である。
【００６５】
図４（ａ）（ｂ）に示すＬＥＤ表示装置４０は、複数個のＬＥＤランプ４２がマトリクス状に配列され、ケース４１に収納されている。複数個のＬＥＤランプ４２に対し、ルーバー４３が設けられている。ルーバー４３は、ＬＥＤランプ４２へ入射する外来光を遮光する遮光板４３ａを有している。遮光板４３ａは、ルーバー４３の背面側に配置された背板部４３ｂから、ＬＥＤ表示装置４０の正面方向へ、庇状に延び出している。また、背板部４３ｂには、ＬＥＤランプ４２を貫通させる挿通孔が、ＬＥＤランプ４２の配列に合わせて複数形成されている。これにより、ルーバー４３が複数個のＬＥＤランプ４２の間隙に配置される。
【００６６】
なお、遮光板４３ａは、太陽光等の外来光がＬＥＤランプ４２に入射することによる表示の視認性悪化を防止するために設けられている。したがって、遮光板４３ａは、外来光がＬＥＤランプ４２に直接当たらないように配置することが好ましい。また、遮光板４３ａは、マトリクス状に配列されたＬＥＤランプ４２の水平方向の各段毎に設けられている。
【００６７】
なお、図示しないが、ＬＥＤ表示装置４０は駆動回路部も備えている。この駆動回路部に雨水が浸入しないように、ケース４１とＬＥＤランプ４２との間の空間は樹脂等により充填されている。
【００６８】
また、遮光板４３ａの内部には、ヒーターが埋め込まれている。図４（ａ）（ｂ）では、ヒーターが埋め込まれた遮光板４３ａを説明の便宜上、灰色で表し、識別できるようにしている。このため、本実施例のＬＥＤ表示装置４０によれば、遮光板４３ａの内部からヒーターが発する熱が、高効率に表示面に伝導され、表示面側および遮光板４３ａに雪が付着しても、その雪を確実に融かすことができる。さらに、ルーバー４３が複数個のＬＥＤランプ４２の間隙に配置され、遮光板４３ａがＬＥＤランプ４２の水平方向の各段毎に設けられているので、各遮光板４３ａにヒーターを埋め込むことにより、ヒーターをＬＥＤ表示装置４０に対して均一に配置することができる。これにより、ヒーターの発する熱が表示面側に均一に伝導される。
【００６９】
なお、より高い融雪効果を得るために、各段毎に設けられた遮光板４３ａのそれぞれにヒーターを埋め込んでもよいが、このような構成に限らず、図４（ａ）（ｂ）に示しているように、所望の融雪効果が得られる限りにおいて、一部の遮光板４３ａにのみヒーターを埋め込む構成であってもよい。これにより、ヒーターの配線長が抑えられるため、ヒーターの消費電力量を削減することが可能となる。
【００７０】
また、ヒーター４４が埋め込まれたルーバー４３を表示装置から着脱可能な構成としていてもよい。これにより、例えば通常のＬＥＤ表示装置にヒーターが埋め込まれたルーバー４３を取り付けるだけで、降雪地域で用いるのに適したＬＥＤ表示装置を容易に製造することができる。
【００７１】
さらに、ルーバー４３を表示装置から着脱可能な構成とすれば、ルーバー４３および表示装置の双方のメンテナンスが容易になる。
【００７２】
なお、本実施例において用いられる発光素子として、ＬＥＤランプ以外の素子を用いることも可能である。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７４】
本発明は、例えば、降雪地域等の屋外に設置され、積雪による表示障害を防止することが必要な発光型表示装置に適用することができる。
【図面の簡単な説明】
【００７５】
【図１】第一の実施形態である遮光板の一部を切り欠いた斜視図である。
【図２】第二の実施形態である遮光板の一部を切り欠いた斜視図である。
【図３】第三の実施形態である遮光板の一部を切り欠いた斜視図である。
【図４】（ａ）は、本発明の一実施例であるＬＥＤ表示装置の外観斜視図、（ｂ）は、上記ＬＥＤ表示装置の一部を切り欠いた側面図である。
【図５】（ａ）は、従来技術であるＬＥＤ表示装置の外観斜視図、（ｂ）は、上記ＬＥＤ表示装置の一部を切り欠いた側面図、および（ｃ）は、（ｂ）の領域Ｘの拡大図である。
【図６】（ａ）は、従来技術であるＬＥＤ表示装置の外観斜視図、（ｂ）は、上記ＬＥＤ表示装置の一部を切り欠いた側面図である。
【符号の説明】
【００７６】
１０，２０，３０，４３  ルーバー
１０ａ，２０ａ，３０ａ，４３ａ  遮光板
１０ｂ，２０ｂ，３０ｂ，４３ｂ  背板部
１１，２１，３１，４４  ヒーター
２３，３３  熱伝導部材
３４  接地用端子
４０  ＬＥＤ表示装置
４１  ケース
４２  ＬＥＤランプ
【図１】
2007187752.tif 000003
【図２】
2007187752.tif 000004
【図３】
2007187752.tif 000005
【図４】
2007187752.tif 000006
【図５】
2007187752.tif 000007
【図６】
2007187752.tif 000008